(57)【要約】【課題】本発明は、簡単な工程によって布地に円形の開口部を設けることができる新規な開口方法を提供することを目的とする。【解決手段】本発明の開口方法は、衣服１の布地２に当て布３を貼着する貼着工程と、前記当て布３に覆われた領域内において、前記布地２と共に前記当て布３を円形に切断することによって前記開口部を設ける切断工程と、を実行する。【選択図】図１
2019135339.tif 000002
【特許請求の範囲】
【請求項１】
衣服に円形の開口部を設けるための開口方法であって、
前記衣服の布地に当て布を貼着する貼着工程と、
前記当て布に覆われた領域内において、前記布地と共に前記当て布を円形に切断することによって前記開口部を設ける切断工程と、
を実行することを特徴とする開口方法。
【請求項２】
請求項１に記載の開口方法において、
前記切断工程の実行後、前記開口部の周縁を縫合する縫合工程を実行する開口方法。
【請求項３】
請求項１又は２に記載の開口方法において、
前記当て布として、布基材の一面に熱融着性樹脂が塗布された熱接着シートを用いる開口方法。
【発明の詳細な説明】
【技術分野】
【０００１】
本発明は、布地に円形の開口部を設けるための開口方法に関する。
【背景技術】
【０００２】
最近、外気を作業服内に供給し、もって前記作業服内を冷却するファン付きの作業服が実用化されている。
【０００３】
この種の作業服は、作業服の布地に取り付けられたファンによって、外気を作業服内に供給するタイプのものが一般的である。そのため、作業服には、前記ファンを取り付けるための開口部を設ける必要がある。
【０００４】
しかしながら、単に作業服の布地に穴を開けて開口部としても、前記ファンの重量を十分に支える強度が得られない。そのため、下記特許文献１では、布地に開けた穴の周囲を環状の衣服用ファン取付用ワッペン（以下、「環状ワッペン」と称する。）にて補強する手段が提案されている。
【先行技術文献】
【特許文献】
【０００５】
【特許文献１】特開２０１７‐５７５４７号公報
【発明の概要】
【発明が解決しようとする課題】
【０００６】
前記環状ワッペンを衣服に取り付けるにあたっては、まず、前記ファンを取り付けたい部分に前記環状ワッペンをあてがい、前記環状ワッペンの中央に設けられた取付孔に沿って鉛筆などで印をつける。次いで、前記印に沿ってハサミなどで衣服を切ることによって開口部を設け、最後に、前記開口部の周縁に前記環状ワッペンを配置し、アイロンなどを用いて前記環状ワッペンを熱融着させる。
【０００７】
前記特許文献１には、このような工程を経て前記開口部に前記環状ワッペンを取り付け、もって前記開口部の周囲を補強する旨が開示されている。
【０００８】
しかしながら、前もって衣服に開口部を開け、最後に環状ワッペンを取り付ける工程では、前記開口部と前記環状ワッペンの取付孔とがずれる場合がある。前記開口部と前記取付孔がずれると、開口部の開度が不十分になる。又、開口部の強度不足や開口部周縁のほつれが生じる。
【０００９】
本発明は前記技術的課題に鑑みて開発されたものであり、簡単な工程によって布地に円形の開口部を設けることができる新規な開口方法を提供することを目的とする。
【課題を解決するための手段】
【００１０】
前記技術的課題を解決する本発明の開口方法は、衣服に円形の開口部を設けるための開口方法であって、前記衣服の布地に当て布を貼着する貼着工程と、前記当て布に覆われた領域内において、前記布地と共に前記当て布を円形に切断することによって前記開口部を設ける切断工程と、を実行することを特徴とする（以下、「本発明方法」と称する。）。
【００１１】
前記本発明方法においては、前記切断工程の実行後、前記開口部の周縁を縫合する縫合工程を実行することが好ましい態様となる。
【００１２】
前記本発明方法においては、前記当て布として、布基材の一面に熱融着性樹脂が塗布された熱接着シートを用いることが好ましい態様となる。
【発明の効果】
【００１３】
本発明によれば、簡単な工程によって布地に円形の開口部を設けることができる。
【図面の簡単な説明】
【００１４】
【図１】図１は、本発明方法によって開口部が設けられた衣服を示す正面図である。
【図２】図２は、本発明方法における貼着工程を示す正面図（ａ）と、断面図（ｂ）である。
【図３】図３は、本発明方法における切断工程を示す正面図（ａ）と、断面図（ｂ）である。
【図４】図４は、本発明方法における縫合工程を示す正面図（ａ）と、断面図（ｂ）である。
【発明を実施するための形態】
【００１５】
以下、本発明の実施形態を、図面を参照しながら説明するが、本発明はこれらの実施形態に限定されるものではない。
【００１６】
＜本発明方法＞
図１に、本発明方法によって開口部１０が設けられた衣服１を示す。前記衣服１は、市販の作業着の背中部分を構成する布地２に前記開口部１０が二箇所設けられ、各開口部１０にそれぞれファンＦを取り付けることができるようになされたものである。なお、前記ファンＦは、バッテリーＢからの電源供給を受けて駆動する仕組みとなされている。
【００１７】
又、図２、図３に、本発明方法の各工程を示す。本発明方法は、貼着工程と、切断工程と、を実行する。
【００１８】
‐貼着工程（図２参照）‐
前記貼着工程では、前記衣服１の布地２に当て布３を貼着する。本実施形態においては、前記当て布３として、布基材（綿）の一面に熱融着性樹脂（ポリアミド）が積層された熱接着シート（市販のアイロン接着シート）を用い、アイロンを押し当てることによって前記当て布３を前記布地２に熱接着した。なお、本発明方法において、前記当て布３の素材は特に限定されず、又、前記布地２に前記当て布３を貼着する手段についても限定されない。例えば、前記当て布３の一面に接着剤や粘着剤を塗布し、前記布地２に前記当て布３を貼着しても良い。
【００１９】
‐切断工程（図３参照）‐
前記切断工程では、前記当て布３に覆われた領域内において、前記布地２と共に前記当て布３を円形に切断することによって前記開口部１０を設ける。本実施形態においては、前記開口部１０を設けるための手段（道具）としてコンパスカッターを用いた。なお、本発明方法において、前記開口部１０を設けるための手段は、特に限定されない。例えば、ハサミやカッター、パンチ等を用いて前記開口部１０を設けても良い。
【００２０】
前記工程を経て衣服１に開口部１０を設ける本発明方法によれば、簡単な工程によって布地２に円形の開口部１０を設けることができる。
【００２１】
そして、本発明方法では、前記切断工程において布地２と共に前記当て布３を同時に切断するから、前記布地２に設けられた穴と前記当て布３に設けられた穴との間にずれが生じない。これより、前記開口部１０の寸法が正確となり、前記開口部１０の強度不足やほつれが生じ難くなる。
【００２２】
ところで、本発明方法においては、前記切断工程の実行後、図４に示すように、前記開口部１０の周縁を縫合（４）する縫合工程を実行することが好ましい。この縫合工程の実行により、前記開口部１０の強度が向上し、又、ほつれがより生じ難くなる。
【００２３】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００２４】
本発明方法は、作業服等に、ファンを取り付けるための開口部を設ける手段として好適に利用される。
【符号の説明】
【００２５】
１  衣服
２  布地
３  当て布
４  縫合線
１０  開口部
Ｂ  バッテリー
Ｆ  ファン
【図１】
2019135339.tif 000003
【図２】
2019135339.tif 000004
【図３】
2019135339.tif 000005
【図４】
2019135339.tif 000006